(57)【要約】【課題】一方の背もたれ部と他方の背もたれ部のどちらにもたれかかったとしても、入浴者が同様の姿勢でアームレストに腕を載せることが可能な構造とする。【解決手段】浴槽１は、背もたれ部８０（８２）側から浴槽１の長手方向の中央に向かって高くなり、途中から他方の背もたれ部８２（８０）に向かって低くなる形状のアームレスト８４を備える。アームレスト８４は、浴槽の長手方向中央を中心にして対称の形状であってもよい。また、アームレスト８４は、背もたれ部８０（８２）から浴槽中央に向かって幅広になる形状であってもよい。【選択図】図６
2020031974.tif 000002
【特許請求の範囲】
【請求項１】
背もたれ部側から浴槽の長手方向の中央に向かって高くなり、途中から他方の背もたれ部に向かって低くなる形状のアームレストを備える浴槽。
【請求項２】
前記アームレストは、前記浴槽の長手方向中央を中心にして対称の形状である、請求項１に記載の浴槽。
【請求項３】
前記アームレストは、前記背もたれ部側から前記浴槽中央に向かって幅広になる形状である、請求項１または２に記載の浴槽。
【請求項４】
前記アームレストは、前記浴槽の対向する内壁の両方に設けられている、請求項１から３のいずれか一項に記載の浴槽。
【請求項５】
前記アームレストは、その上面の少なくとも一部が当該浴槽の内壁から浴槽内側に向けて下方に傾斜した形状である、請求項１から４のいずれか一項に記載の浴槽。
【請求項６】
前記アームレストは、緩やかに湾曲し、前記浴槽の長手方向幅に沿って山なりの上面を有する形状である、請求項１から５のいずれか一項に記載の浴槽。
【発明の詳細な説明】
【技術分野】
【０００１】
本発明は、浴槽に関する。
【背景技術】
【０００２】
全身浴時に入浴者が腕を置くためのアームレストが内部に設けられた浴槽が利用されている（例えば、特許文献１参照）。入浴者は、浴槽の背もたれ部にもたれかかり、腕をアームレストに載せた快適な姿勢で入浴することができる。
【先行技術文献】
【特許文献】
【０００３】
【特許文献１】特開２０１１−４５４６３号公報
【発明の概要】
【発明が解決しようとする課題】
【０００４】
しかし、上記をはじめとする従来の浴槽は、一方の背もたれ部にもたれかかる場合しか想定されておらず、他方の背もたれ部にもたれかかった場合、入浴者は、アームレストに腕を同じように載せることはできなかった。
【０００５】
そこで、本願は、一方の背もたれ部と他方の背もたれ部のどちらにもたれかかったとしても、入浴者が同様の姿勢でアームレストに腕を載せることが可能な構造の浴槽を提供することを目的とする。
【課題を解決するための手段】
【０００６】
本発明の一態様に係る浴槽は、背もたれ部側から浴槽の長手方向の中央に向かって高くなり、途中から他方の背もたれ部に向かって低くなる形状のアームレストを備える。
【０００７】
上記の態様によれば、どちらの背もたれ部にもたれかかっていようとも、入浴者はアームレストに腕を載せることができるので、いずれの背もたれ部においても快適な姿勢で入浴することができる。また、入浴中に体が滑るなどの不安定な状態になったとしても、アームレストを利用して腕全体で姿勢を保持することが、いずれの背もたれ部においても可能である。
【０００８】
上記態様の浴槽におけるアームレストは、浴槽の長手方向中央を中心にして対称の形状であってもよい。
【０００９】
上記態様の浴槽におけるアームレストは、背もたれ部側から浴槽中央に向かって幅広になる形状であってもよい。
【００１０】
上記態様の浴槽におけるアームレストは、浴槽の対向する内壁の両方に設けられていてもよい。
【００１１】
上記態様の浴槽におけるアームレストは、その上面の少なくとも一部が当該浴槽の内壁から浴槽内側に向けて下方に傾斜した形状であってもよい。
【００１２】
上記態様の浴槽におけるアームレストは、緩やかに湾曲し、浴槽の長手方向幅に沿って山なりの上面を有する形状であってもよい。
【発明の効果】
【００１３】
本発明によれば、一方の背もたれ部と他方の背もたれ部のどちらにもたれかかったとしても、入浴者が同様の姿勢でアームレストに腕を載せることが可能となる。
【図面の簡単な説明】
【００１４】
【図１】浴室の構成の一例を示す説明図である。
【図２】設置前の浴槽の斜視図である。
【図３】設置前の浴槽の正面図である。
【図４】浴槽の平面図である。
【図５】入浴者とともに示す浴槽の平面図である。
【図６】図４のVI-VI線における浴槽の断面図である。
【発明を実施するための形態】
【００１５】
以下、図面を参照して、本発明の好ましい実施の形態について説明する（図１〜図６参照）。
【００１６】
浴槽１は、上面側が開口した略直方体の全体形状を有する。浴槽１は、例えば平面から見て略長方形状を有している。浴槽１の３つの側面（側辺）２０、２１、２２は、浴室１０の壁３０に面し、残りの一つの側面２３が洗い場３１に面している。この浴槽１の側面２３は、例えば浴槽１の長辺側の面である。なお、洗い場３１には、例えば図示しないシャワーや排水口が設けられている。
【００１７】
また、浴槽１は、湯水貯留部４０と、その周りに位置する外周部としてのフランジ部４１を備えている（図３、図４参照）。湯水貯留部４０は、平面から見てオーバル状の外形ラインＡを有する。外形ラインＡは環状に形成され、水が溜まる限界水位（貯留上限）ラインになっている。湯水貯留部４０は、図４に示す浴槽１の長手方向Ｘの中心を通る幅方向Ｙの中心線Ｌ１に対し左右対称であり、浴槽１の幅方向Ｙの中心を通る長手方向Ｘの中心線Ｌ２に対して左右非対称である。
【００１８】
外形ラインＡは、例えば長辺外形ラインＡ１、Ａ２及び短辺外形ラインＡ３、Ａ４からなる。例えば長辺外形ラインＡ１、Ａ２及び短辺外形ラインＡ３、Ａ４は、平面から見て外側の凸に湾曲している。洗い場３１に面する長辺外形ラインＡ１は、それに対向する長辺外形ラインＡ２よりも外側に大きく湾曲している。短辺外形ラインＡ３、Ａ４は、同じ形状を有している。なお、外形ラインＡは、外周部の例えばフランジ部４１に滑らかに接続されており、外見上見えなくてもよい。
【００１９】
湯水貯留部４０は、内壁部８と底部９とで構成されている。本実施形態の浴槽１の内壁部８は、洗い場３１から見て左側に位置する左背もたれ部８０、洗い場３１から見て奥に位置する側部８１、洗い場３１から見て右側に位置する右背もたれ部８２、洗い場３１から見て手前側に位置する側部８３を有する。底部９には、排水口６２が設けられる（図４参照）。排水口６２には排水栓（図示省略）が設けられる。上記のとおり、湯水貯留部４０は中心線Ｌ１に対し左右対称に形成されており、左背もたれ部８０と右背もたれ部８２も中心線Ｌ１に対し対称形状となっている。
【００２０】
奥の側部８１の内壁部には段部が設けられ、該段部からなるアームレスト８４が形成されている（図２等参照）。アームレスト８４は、一方の背もたれ部、たとえば左背もたれ部８０側から中央部８４ｃに向かって高さが徐変つまり徐々に変化しながら高くなり、中央部８４ｃで最も高く、そこから右背もたれ部８２に向かって徐々に低くなるように形成されている。背もたれ部（左背もたれ部８０、右背もたれ部８２）とアームレスト８４とは、これらの間が連続するように形成されていてもよいし、背もたれ部の背もたれ面とア
ームレスト８４の始まりあるいは終わりがある程度離れた状態で形成されていてもよい。なお、アームレスト８４の中央部８４ｃは、浴槽１の長手方向Ｘにおける当該アームレスト８４の中央部分であり、本実施形態の浴槽１においては中心線Ｌ１が通る部分である（図６等参照）。本実施形態のアームレスト８４は、浴槽１の長手方向Ｘの中央（本実施形態の場合は、中心線Ｌ１が通る位置）を中心にて対称形状となっている（図４等参照）。
【００２１】
アームレスト８４の上面は入浴者が肘を掛けたり腕を置いたりすることがしやすいように人間工学的な観点を踏まえて形成されている。一例として、本実施形態では、緩やかに湾曲した山なりの上面をもつ形状のアームレスト８４とし、見栄えがよい曲面を有し、なお且つ、入浴中にひじ掛けとして使いやすいものとしている。
【００２２】
また、アームレスト８４の幅のひろがりかたに関していえば、浴槽１の側部８１側つまりアームレスト外側が平面視凸状で外側に緩やかに膨らんだ形状、浴槽内側つまりアームレスト内側がストレートに近い形状となっている（図４等参照）。
【００２３】
さらに、本実施形態のアームレスト８４は、ひじ掛けの面となるその上面の幅ｗが、左背もたれ部８０側から中央部８４ｃに向かって徐々に広くなるように形成されている（図２、図４等参照）。このように中央部８４ｃ寄りの位置ほど広くなるように幅が緩やかに変化する形状は、オーバル状である浴槽１において、スペースや機能、さらにはデザイン性を損なうことがない（図２等参照）。
【００２４】
また、本実施形態アームレスト８４は、その上面が、浴槽１の内側に向けて僅かに傾斜する形状とされており（図２等参照）、入浴者が肘を置きやすい当たりのよい表面であって、かつ、水切り性のよい面となっている。なお、アームレスト８４の縁の部分には適度な角Ｒで丸みが付されている。
【００２５】
上記のごときアームレストは、浴槽１の対向する内壁どうしである奥の側部８１および手前側の側部８３の一方にのみ設けられていてもよいし、両方に設けられていてもよい。本実施形態においては、上記のアームレスト８４に加え、浴槽１の手前側の側部８３に、上記のアームレスト８４と同様のアームレスト８５を設けている。アームレスト８４と同様、アームレスト８５も、一方の背もたれ部、たとえば左背もたれ部８０から中央部８５ｃに向かって高さが徐変つまり徐々に変化しながら高くなり、中央部８５ｃで最も高く、そこから右背もたれ部８２に向かって徐々に低くなるように形成されている。ただし、本実施形態の浴槽１では排水口６２が手前側の壁部８３に近接した洗い場３１寄りの位置に配置されていることから、壁部８３のうち排水口６２の周囲の部分が緩やかに窪んだ形状となっている（図４等参照）。
【００２６】
また、浴槽１の例えば内部、一例として奥の側部８１のうちアームレスト８４の上方に、入浴動作をサポートするグリップ８９が設けられていてもよい（図５参照）。
【００２７】
ここまで説明したように、本実施形態の浴槽１においてはアームレスト８４，８５が浴槽１の中央に向かって高くなる形状であることから、入浴者がアームレスト８４，８５に肘を掛けるに適した斜面があり、入浴中に体が滑るなどの不安定な状態にならないようにしっかりと腕全体で姿勢を保持することができる。
【００２８】
本実施形態の浴槽１におけるアームレスト８４，８５は、浴槽１の中央をすぎれば徐々に低くなる形状であることから、膝を折り曲げた姿勢で入浴している者の膝の位置よりも下方に位置する。したがって、入浴者が浴槽１の中で脚を広げるといった動作をしても膝やその周辺の部分がアームレスト８４，８５に当たるようなことがない。
【００２９】
また、本実施形態の浴槽１は中心線Ｌ１を含む鉛直面を中心にした面対称の形状であり、かつ、アームレスト８４，８５も中心線Ｌ１を含む鉛直面を中心にした面対称の形状であることから、入浴者は、左背もたれ部８０、右背もたれ部８２のいずれにもたれかかっても、同じ姿勢で、アームレスト８４，８５を同様に利用することができる。
【００３０】
また、上記のように、アームレスト８４，８５を含む全体が対象形状である浴槽１は、浴室１０における当該浴槽１の位置が右か左かにかかわらず適用しうることから、単一の型であっても適用範囲が広い。このため、製作型などに要する費用や投資を抑えることができる。
【００３１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３２】
例えば、アームレスト８４，８５は、一方の背もたれ部、たとえば左背もたれ部８０から中央部８４ｃ，８５ｃに向かって高さが徐変つまり徐々に変化しながら高くなり、中央部８４ｃ，８５ｃの手前で最も高くなり、一定領域同じ高さを維持した水平部を有し、そこから右背もたれ部８２に向かって徐々に低くなるように形成されていてもよい。
【００３３】
また、上記実施形態では、排水口６２の周囲の部分が緩やかに窪んだ形状の浴槽１について説明したが（図４等参照）、これは好適な一例にすぎない。この他、例えば、特に図示してはいないが、アームレスト８５のうち排水口６２の周囲の部分が緩やかに窪んで一部が途切れた形状となっていてもよい。
【産業上の利用可能性】
【００３４】
本発明は、いわゆるユニットバスに用いられる浴槽等に適用して好適である。
【符号の説明】
【００３５】
１…浴槽、８０…左背もたれ部（背もたれ部）、８１…奥の側部（内壁）、８２…右背もたれ部（背もたれ部）、８３…手前側の側部（内壁）、８４…アームレスト、８４ｃ…アームレストの中央部、８５…アームレスト、ｗ…アームレストの幅
【図１】
2020031974.tif 000003
【図２】
2020031974.tif 000004
【図３】
2020031974.tif 000005
【図４】
2020031974.tif 000006
【図５】
2020031974.tif 000007
【図６】
2020031974.tif 000008